(57)【要約】復号化装置（２）は、偏光を放射する表示装置（１）上に表示される暗号化画像を視覚的に復号化するよう構成される。復号化装置は、偏光素子（２１）、液晶ディスプレイ（２３）、及び更なる偏光素子（２２）を有し、これらは、表示装置から受信し偏光素子（２１）上に入射する偏光が液晶ディスプレイ（２３）と更なる偏光素子（２２）を通るよう配置される。偏光素子は、第１の偏光状態と第２の非偏光状態の間を切り替わることが可能な切替え可能な偏光器を有する。このことは、復号化装置が、他の用途にも使用可能なスタンドアロン装置として使用されることを可能にする。表示装置にも切替え可能な偏光器（１２）が設けられることが好適である。
2007514180.tif 000002
【特許請求の範囲】
【請求項１】
暗号化画像を視覚的に復号化するシステムであって、
該システムは、前記暗号化画像を表示する表示装置と、前記表示装置上に表示された前記暗号化画像を視覚的に復号化する復号化装置とを有し、
前記表示装置は、第１の偏光素子、第１の液晶ディスプレイ、及び第２の偏光素子を有し、前記第１の偏光素子、前記第１の液晶ディスプレイ、及び前記第２の偏光素子は、前記第１の偏光素子上に入射する光が、前記第１の液晶ディスプレイ及び前記第２の偏光素子を通過しうるよう配置され、
前記復号化装置は、第３の偏光素子、第２の液晶ディスプレイ、及び第４の偏光素子を有し、前記第３の偏光素子、前記第２の液晶ディスプレイ、及び前記第４の偏光素子は、前記表示装置から受信し、前記第３の偏光素子上に入射する光が、前記第２の液晶ディスプレイ及び前記第４の偏光素子を通過しうるよう配置され、
前記第３の偏光素子は、第１の偏光状態と第２の非偏光状態との間で切り替わることの可能な切替え可能偏光器を有するシステム。
【請求項２】
前記第２の偏光素子は、第１の偏光状態と第２の非偏光状態との間で切り替わることの可能な切替え可能偏光器を有する請求項１記載のシステム。
【請求項３】
前記切替え可能偏光素子の切替えは自動的に行われる請求項１又は２記載のシステム。
【請求項４】
前記表示装置及び／又は前記復号化装置に、対をなすものの片方の装置の存在を感知し且つ前記切替え可能偏光素子を切り替えるセンサが設けられる請求項３記載のシステム。
【請求項５】
暗号化画像を表示する表示装置であって、
第１の偏光素子と、
第１の液晶ディスプレイと、
第２の偏光素子と、
を有し、
前記第１の偏光素子、前記第１の液晶ディスプレイ、及び前記第２の偏光素子は、前記第１の偏光素子上に入射する光が、前記第１の液晶ディスプレイ及び前記第２の偏光素子を通過しうるよう配置され、
前記第２の偏光素子は、第１の偏光状態と第２の非偏光状態との間で切り替わることの可能な切替え可能偏光器を有する表示装置。
【請求項６】
対をなすものの片方の装置の存在を検出し、且つ、それに反応して前記第１の偏光素子をオフに切り替える検出手段を更に有する請求項５記載の表示装置。
【請求項７】
偏光を放射する表示装置上に表示された暗号化画像を視覚的に復号化する復号化装置であって、
第３の偏光素子と、
第２の液晶ディスプレイと、
第４の偏光素子と、
を有し、
前記第３の偏光素子、前記第２の液晶ディスプレイ、及び前記第４の偏光素子は、前記表示装置から受信し、前記第３の偏光素子上に入射する光が、前記第２の液晶ディスプレイ及び前記第４の偏光素子を通過しうるよう配置され、
前記第３の偏光素子は、第１の偏光状態と第２の非偏光状態との間で切り替わることの可能な切替え可能偏光器を有する復号化装置。
【請求項８】
表示装置の存在を検出し、且つ、それに反応して前記第３の偏光素子をオフに切り替える検出手段を更に有する請求項７記載の復号化装置。
【請求項９】
一組の鍵及び／又は擬似乱数発生器を更に有する請求項７又は８記載の復号化装置。
【請求項１０】
暗号化画像を視覚的に復号化する方法であって、
該方法は、表示装置上に前記暗号化画像を表示する第１の段階と、
復号化装置を使用する更なる段階と、
を有し、
前記表示装置は、第１の偏光素子、第１の液晶ディスプレイ、及び第２の偏光素子を有し、前記第１の偏光素子、前記第１の液晶ディスプレイ、及び前記第２の偏光素子は、前記第１の偏光素子上に入射する光が、前記第１の液晶ディスプレイ及び前記第２の偏光素子を通過しうるよう配置され、
前記復号化装置は、第３の偏光素子、第２の液晶ディスプレイ、及び第４の偏光素子を有し、前記第３の偏光素子、前記第２の液晶ディスプレイ、及び前記第４の偏光素子は、前記表示装置から受信し、前記第３の偏光素子上に入射する光が、前記第２の液晶ディスプレイ及び前記第４の偏光素子を通過しうるよう配置され、
前記第３の偏光素子は、第１の偏光状態と第２の非偏光状態との間で切り替わることの可能な切替え可能偏光器を有する、方法。
【請求項１１】
前記第２の偏光素子は、第１の偏光状態と第２の非偏光状態との間で切り替わることの可能な切替え可能偏光器を有する請求項１０記載の方法。
【発明の詳細な説明】
【技術分野】
【０００１】
本発明は、画像復号化システムに係る。特に、本発明は、暗号化画像を視覚的に復号化するシステムに係り、このシステムは、暗号化画像を表示する表示装置と、表示装置上に表示された暗号化画像を視覚的に復号化する復号化装置を有する。本発明は更に、暗号化画像を視覚的に復号化する方法と、暗号化画像を視覚的に復号化する復号化装置と、暗号化画像を表示する表示装置とに係る。
【背景技術】
【０００２】
認可を受けていない者によって、画像が認識されることを阻止する又は画像のコンテンツが読まれることを阻止するよう画像を暗号化することは周知である。画像を暗号化する１つの技術は、例えば、特許文献１に開示される。この技術は、視覚暗号法とも知られ、認識可能な画像を生成するために重ねられる２つのパターンを使用する。このために、オリジナルの画像は、２つのランダム化された部分又はパターンに変換され、いずれも任意の知覚可能な画像情報を有さない。これらのパターンのうちの１つは、トランスペアレンシ上に印刷されるか、又は、少なくとも部分的に透明なディスプレイ上に表示されて、パターンが観察者の目において組み合わされることを可能にする。
【０００３】
しかし、このオリジナル画像の変換は、一般的に、ピクチャ素子（画素）とも知られる画像素子の数を増加し一方で解像度は低下する。一般的に、暗号化された画像は、オリジナル画像の画像素子の２倍、又は、画像のアスペクト比が維持されるべき場合は４倍の画像素子を含む。
【０００４】
特許文献２は、視覚暗号法を用いて前に暗号化されたグラフィカルメッセージを再構成する方法及び装置を開示する。表示装置（「クライアント装置」）及び復号化装置には共に液晶ディスプレイ（ＬＣＤ）が設けられる。第１の（表示装置）液晶ディスプレイにおけるセルは、暗号化されたメッセージシーケンスにおけるビットが「１」を表す場合はアクティブにされ、そのビットが「０」を表す場合はアクティブにされない。同様に、第２の（復号化装置）液晶ディスプレイにおけるセルは、キーシーケンスにおける対応ビットが「０」を表す場合はアクティブにされ、そのビットが「１」を表す場合はアクティブにされない。次に、第１のディスプレイ及び第２のディスプレイは重ねられ、偏光フィルタの間に配置され、それにより、グラフィカルメッセージを視覚的に再構成する。
【０００５】
この公知の方法及び装置は、いずれのランダム化されたパターンにおける画素の数を増加することなくオリジナルのグラフィカルメッセージ（つまり、暗号化された画像）の非常に有効且つ高解像度の再構成を可能にする。しかし、公知の方法及び装置は、復号化装置が端末における偏光フィルタに依存するので別個に使用することができないという不利点を有する。即ち、復号化装置は、２つの液晶ディスプレイの間に位置付けられた偏光器をもたらしてしまい、従って、これらのディスプレイの光回転効果を無効にしてしまうので液晶ディスプレイの両側に偏光フィルタを有することができない。これは、復号化装置の実際の適用を深刻に制限してしまう。
【０００６】
更に、公知の方法及び装置は、既存の表示装置と容易に使用することができない。公知の方法は、第２の液晶ディスプレイが、第１の液晶ディスプレイと偏光フィルタとの間に配置されることを必要とする。このために、専用スロットが端末内に復号化装置を挿入するために設けられる。或いは、この偏光フィルタの一部が除去され、スロットが設けられていない場合に液晶ディスプレイが重ねられることが可能にされる。しかし、既存の表示装置には一般的にそのようなスロット又は部分的に除去された偏光フィルタが設けられていないことは明らかであろう。
【特許文献１】欧州特許出願番号第０２６０８１５号
【特許文献２】国際特許出願番号第０３／０６７７９７号（フィリップス）
【発明の開示】
【発明が解決しようとする課題】
【０００７】
本発明は、従来技術の上述した及び他の問題を解決し、液晶ディスプレイを用いて暗号化された画像を復号化するシステムを提供することを目的とする。このシステムは、表示装置と復号化装置の両方を独立して使用することを可能にする。
【課題を解決するための手段】
【０００８】
従って、本発明は、暗号化画像を視覚的に復号化するシステムを提供する、このシステムは、暗号化画像を表示する表示装置と、表示装置上に表示された暗号化画像を視覚的に復号化する復号化装置とを有し、表示装置は、第１の偏光素子、第１の液晶ディスプレイ、及び第２の偏光素子を有し、第１の偏光素子、第１の液晶ディスプレイ、及び第２の偏光素子は、第１の偏光素子上に入射する光が、第１の液晶ディスプレイ及び第２の偏光素子を通過しうるよう配置され、復号化装置は、第３の偏光素子、第２の液晶ディスプレイ、及び第４の偏光素子を有し、第３の偏光素子、第２の液晶ディスプレイ、及び第４の偏光素子は、表示装置から受信し、第３の偏光素子上に入射する光が、第２の液晶ディスプレイ及び第４の偏光素子を通過しうるよう配置され、第３の偏光素子は、第１の偏光状態と第２の非偏光状態との間で切り替わることの可能な切替え可能偏光器を有する。
【０００９】
偏光素子が偏光器として作用する状態と、偏光効果がオフに切り替えられる状態との２つの状態間で切り替えることの可能な偏光素子を設けることによって、非常に融通の利く復号化装置が達成可能である。例えば、画像を復号化するときに表示装置と共に使用されるときは、切替え可能偏光素子はオフに切り替えられる。例えば、暗号化されていない（「プレーンテキスト」）画像を見るといった別の用途に使用されるときは、切替え可能偏光素子は、オンに切り替えられる。
【００１０】
切替え可能偏光素子は更に、表示装置に２つの偏光素子が設けられることを可能にする。１つの偏光素子はオフに切替え可能であるので、この素子が、２つの液晶ディスプレイの間に位置付けられてももはや問題にはならなくなる。
【００１１】
第１の実施例では、表示装置は、上述した従来技術に従って設計され、復号化装置を挿入するためのスロットを有する。しかし、第２の実施例では、そのようなスロットを設けることは必要でなくなる。何故なら、第２の偏光素子は、第１の偏光状態と第２の非偏光状態との間で切り替わることの可能な切替え可能偏光器を有するからである。即ち、表示装置の復号化装置に面する偏光素子は、オン又はオフに切り替えられることが可能である。このことは、表示装置が、第２の偏光素子がオンに切り替えられて通常の（暗号化されていない）画像を表示することと、第２の偏光素子がオフに切り替えられて、上述したように復号化装置と共に画像を視覚的に復号化することの両方に使用されることを可能にする。本発明の表示装置は、１つの偏光素子のみを有する復号化装置、即ち、従来技術による復号化装置を依然として使用することを可能にすることを理解するものとする。
【００１２】
切替え可能偏光素子の切替えは、手動で行われてもよいが、自動的に行われることが好適である。１つの好適な実施例では、表示装置及び／又は復号化装置に、対をなすものの片方の装置の存在を感知し且つ切替え可能偏光素子を切り替えるセンサが設けられる。これらのセンサは、光学的、機械的、又は電磁気的でありうる。
【００１３】
本発明のシステムは、暗号化された画像を復号化するシステムと称するが、本発明のシステムは、グラフィカルメッセージを再構成するシステムとしても考えられる。「再構成」が復号化であり、「グラフィカルメッセージ」が暗号化された画像である。本発明の説明において、画像は、視覚暗号法又は同様の技術を使用して暗号化されており、また、暗号化された画像は、２つの「シェア」のうちの１つであり、２つのシェアは何れもそれらが重ね合わされない限り画像を暴露することはないことが前提とされる。しかし、本発明は、これに限定されるわけではない。
【００１４】
本発明は更に、暗号化画像を表示する表示装置を提供する。この表示装置は、第１の偏光素子と、第１の液晶ディスプレイと、第２の偏光素子とを有し、第１の偏光素子、第１の液晶ディスプレイ、及び第２の偏光素子は、第１の偏光素子上に入射する光が、第１の液晶ディスプレイ及び第２の偏光素子を通過しうるよう配置され、第２の偏光素子は、第１の偏光状態と第２の非偏光状態との間で切り替わることの可能な切替え可能偏光器を有する。
【００１５】
このような表示装置は、画像を視覚的に復号化するためと、暗号化されていない画像を見るための両方に使用しうる。本発明の表示装置には、復号化装置を挿入するためのスロットが設けられてもよいが、復号化装置は、表示装置の前に配置されてもよいので一般的に必ずしも必要ではない。
【００１６】
本発明は更に、偏光を放射する表示装置上に表示された暗号化画像を視覚的に復号化する復号化装置を提供する。この復号化装置は、第３の偏光素子と、第２の液晶ディスプレイと、第４の偏光素子とを有し、第３の偏光素子、第２の液晶ディスプレイ、及び第４の偏光素子は、表示装置から受信し、第３の偏光素子上に入射する光が、第２の液晶ディスプレイ及び第４の偏光素子を通過しうるよう配置され、第３の偏光素子は、第１の偏光状態と第２の非偏光状態との間で切り替わることの可能な切替え可能偏光器を有する。
【００１７】
このような復号化装置は、液晶ディスプレイの両側に１つずつ、合計で２つの偏光素子を有するので、（暗号化されていない）画像を見るためのスタンドアロン装置として使用可能である。更に、この復号化装置は、１つの偏光素子がオフに切り替えられるので、好適な表示装置と共に専用復号化装置として使用することが可能である。
【００１８】
本発明は更に、暗号化された画像を視覚的に復号化する方法を提供する。この方法は、表示装置上に暗号化画像を表示する第１の段階と、復号化装置を使用する更なる段階とを有し、表示装置は、第１の偏光素子、第１の液晶ディスプレイ、及び第２の偏光素子を有し、第１の偏光素子、第１の液晶ディスプレイ、及び第２の偏光素子は、第１の偏光素子上に入射する光が、第１の液晶ディスプレイ及び第２の偏光素子を通過しうるよう配置され、復号化装置は、第３の偏光素子、第２の液晶ディスプレイ、及び第４の偏光素子を有し、第３の偏光素子、第２の液晶ディスプレイ、及び第４の偏光素子は、表示装置から受信し、第３の偏光素子上に入射する光が、第２の液晶ディスプレイ及び第４の偏光素子を通過しうるよう配置され、第３の偏光素子は、第１の偏光状態と第２の非偏光状態との間で切り替わることの可能な切替え可能偏光器を有する。
【００１９】
本発明の方法では、第２の偏光素子は、第１の偏光状態と第２の非偏光状態との間で切り替わることの可能な切替え可能偏光器を有する。
【発明を実施するための最良の形態】
【００２０】
本発明を、添付図面に示す例示的な実施例を参照して以下に更に説明する。
【００２１】
図１に非限定的例としてのみ示すシステム１００は、表示装置（端末）１と、復号化装置２を有する。端末１は、インターネット又はＬＡＮ（ローカルエリアネットワーク）といった別のネットワーク、金融取引を行うための現金自動預払機（ＡＴＭ）、又は画像を表示可能な別のタイプの端末に接続されることが好適であるパーソナルコンピュータでありうる。
【００２２】
端末１は、ネットワークを介して遠隔サーバ（図示せず）から画像を受信しうる。秘密性を維持するために、画像は、視覚暗号法を用いて暗号化される。即ち、オリジナルの画像に基づいて、２つの部分画像又は「シェア」が形成される。これらは何れもオリジナル画像に関する任意の目に見える情報を含まない。シェアのうちの１つは、復号化装置２に鍵として格納され、もう１つのシェアは、端末１上に表示される。復号化装置２は、復号化装置が端末の表示スクリーン１６の前に配置された時に両方のシェアが見られることを可能にする透明ディスプレイ２６を有し、それにより、暗号化された画像が「復号化」される。組み合わされたシェアは、ユーザがオリジナルの画像を認識することを可能にする。上述した特許文献２を参照されたい。この文献の内容全体は、本願に組み込まれる。
【００２３】
図示する実施例では、端末１には、復号化装置２の存在を感知するセンサ１５が設けられる。復号化装置２には、表示端末１の存在を感知するよう機能するセンサ２５が設けられることが好適である。これらのセンサの機能は、図４及び５を参照して以下に説明する。
【００２４】
高解像度画像を提供するために、図２に概略的に示すように、２つの液晶ディスプレイと一組の偏光器を使用する。光源１０は、端末（表示装置）１内に収容される。端末１は更に、第１の偏光器１１、第２の偏光器１２、及び（第１の）液晶ディスプレイ１３を有する。復号化装置２は、第３の偏光器２１、第４の偏光器２２、及び更なる（第２の）液晶ディスプレイ２３を有する。図２から分かるように、復号化装置２は、第１の液晶ディスプレイ１３と第４の偏光器２２との間に挿入される。尚、第４の偏光器２２は任意選択的であり、表示装置１が独立して、即ち、復号化装置２が取り除かれた時に使用されることを可能にするよう機能するに過ぎない。
【００２５】
図２では、光源１０からの光は、第１の偏光器１１を通る。その結果、第１の液晶ディスプレイ１３上に入射する光は、（例えば）水平配向性を有する。光は、第１の液晶ディスプレイ１３を通り、また、個々の液晶ディスプレイ素子の作動に依存して、９０°の選択回転（図２には「ｒ」によって示す）を受ける。上述した従来技術のシステムでは、光は、次に、第２の液晶ディスプレイ２３を通り、再度、第２の偏光器１２を通る前に個々の液晶ディスプレイ素子の作動に依存して９０°の回転を選択的に受ける。この第２の偏光器１２も（例えば）水平配向性を有する。９０°に亘って２回、即ち、１８０°に亘って回転された光が、全く回転されていない光と同様に第２の偏光器１２を通り、結果として、明るい画素（ピクチャ素子）となる。一回だけ、即ち、９０°に亘って回転された光は、通過することができないので、暗い画素となる。
【００２６】
図２から分かるように、第１の液晶ディスプレイと第２の液晶ディスプレイの間に（第３の）偏光器２１を配置することは、第１の液晶ディスプレイによって１回だけ（９０°に亘って）回転された光の全ては、この偏光器によって遮断されるので、この配置を役に立たないようにしてしまう。これは、復号化装置２は、独立して使用することができない、即ち、復号化装置２は、その適切な機能は、光源と（第２の）液晶ディスプレイとの間の偏光器の存在に依存するので表示装置１なしでは使用することができないことを意味する。
【００２７】
言い換えると、表示装置１及び復号化装置２は共に、独立して機能するにはそれぞれの液晶ディスプレイの両側に偏光素子を必要とするが、これは、偏光器を２つの液晶ディスプレイ間に配置することになり、組み合わせられた配置を、機能停止としてしまう。
【００２８】
本発明は、第３の偏光器２１として、切替え可能な偏光器を使用することによってこの問題に対する非常に単純で効果的な解決策を提供する。切替え可能な偏光器は、実質的に非偏光（透明）状態から実質的に偏光状態に変わる光学構成要素である。切替え可能な偏光器の１つの例は、光学的に異方性の色素分子を組み込んだ液晶材料の層（いわゆる「ゲスト−ホスト」液晶システム）である。ゲスト−ホスト層は、２つの透明電極間に位置付けられる。電極に電圧が印加されない場合、全ての色素分子（及び液晶分子）は、ランダムに配向され、光は、偏光されることなくこの層を通る。しかし、電極に電圧が印加される場合、液晶分子は、好適な方向に回転し、色素分子も回転させる。この層を通る光は、整えられた色素分子によって偏光される。
【００２９】
切替え可能な偏光器２１は、復号化装置が端末１と共に使用されるときにオフに切り替えられることが可能であり、それにより、第１の液晶ディスプレイ１３と第２の液晶ディスプレイ２３との間には任意の偏光がないようにされる。しかし、切替え可能な偏光器２１は、例えば、非暗号化（「プレーンテキスト」）画像を見るために復号化装置が独立して使用されるときにはオンに切り替えられることが可能である。従って、本発明の復号化装置は、通常のＬＣＤビューイング装置としても使用可能である。このことは、図３に概略的に示す。図３では、復号化装置２（偏光器２１及び２２、及び液晶ディスプレイ２３）は、表示装置１から取り外されている。図３から分かるように、両方の装置は、それぞれの液晶ディスプレイの両側に１つの偏光器を有し、それにより、それらの装置が独立して使用されることが可能にされる。
【００３０】
本発明の好適な実施例を、図４及び５に概略的に示す。この実施例では、復号化装置２は、表示装置において、表示装置の第１の液晶ディスプレイ１３と第２の偏光器１２との間に配置されない。復号化装置２は、表示装置１の外側で、第２の偏光器１２の前に配置される。図面から分かるように、これは、第１の液晶ディスプレイ１３と第２の液晶ディスプレイ２３との間に、２つの偏光器（１２及び２１）が位置付けられることをもたらす。上述したように、この配置は、通常、視覚的復号化を出来なくしてしまう。しかし、本発明のこの実施例では、第３の偏光器１２及び第４の偏光器２１の両方が切替え可能な偏光器であり、これらの偏光器は、復号化装置２が表示装置１の表示スクリーンの前に配置されるときにオフに切り替えられることが可能である。その結果、第１の液晶ディスプレイ１３と第２の液晶ディスプレイ２３との間には実質的に光の回転は発生せず、従って、この配置は所望通りに機能する。
【００３１】
図５に示すように、復号化装置２が表示装置１から取り外されると、切替え可能な偏光器１２及び２１は、オンに切り替えられ、それにより、表示装置１と復号化装置２が独立して使用されることを可能にする。
【００３２】
尚、切替え可能偏光器は、例えば、各装置上の好適なボタンを押すことによって手動で、又は、例えば、検出素子（図１におけるセンサ１５、２５を含む）に応答して自動的にオンオフ切り替えられうる。このような検出素子は、対をなすものの片方の装置の存在を感知可能な機械的、光学的、及び／又は電気機械的センサを含みうる。検出素子は更に、センサ信号を処理する信号処理手段を有しうる。このようにして、切替え可能な偏光器は、ユーザからの任意の介入なく動作されうる。
【００３３】
有利な実施例では、表示装置の検出手段と、復号化装置の検出手段は、装置の真偽を確認するためにメッセージを交換しうる。切替え可能偏光器は、その真偽が証明された場合にのみオフに切り替えられることが考えられる。
【００３４】
復号化装置２は、第２の液晶ディスプレイ２３の個々の素子の作動を決定する鍵（部分画像又は「シェア」）を含む。視覚暗号システムの安全性を高める為に復号化装置内に単一の鍵ではなく一組の鍵が格納されることが好適である。当業者には明らかであるように、好適なメモリ回路がこの目的のために設けられうる。更に、復号化装置２は、乱数を発生するＰＲＧ（擬似乱数発生器）といった更なる構成要素を有しうる。
【００３５】
図６の概略的な図面は、光源１０によって生成される光に切替え可能な偏光器が与えうる影響を示す。光９は、最初は、偏光されておらず、また、特定の配向性を有さない。第１のモードＩでは、切替え可能な偏光器８は、オンに切り替えられ、光９を偏光する。図示刷る例では、偏光の方向は、水平である。偏光器８から出る光９’は、水平に偏光される。しかし、第２のモードＩＩでは、偏光器８は、オフに切り替えられ、従って、偏光器８からである光９’は偏光されておらず、また、特定の配向性を有さない。
【００３６】
本発明は、視覚暗号用のシステム内に少なくとも１つの切替え可能な偏光素子を設けることは、視覚復号化のために使用される２つの液晶層の光回転特性を維持しながら、その２つの液晶層間に偏光素子が配置されることを可能にするという見識に基づいている。本発明は、切替え可能な偏光素子は、復号化装置を、また、可能であるならば表示装置も独立して使用することを可能にするという更なる見識から恩恵を受ける。
【００３７】
本発明は、例えば、（インターネット）バンキング又はインターネットショッピングといった安全な取引を実行するために特に使用される。更に、本発明の復号化装置は、写真、動画、ビデオ等といった画像を、これらの画像に応じて液晶ディスプレイを制御する好適な回路が設けられている場合には、独立して見るビューアとしても使用可能である。本発明の復号化装置は、ユーザによって持ち運びされうる携帯可能な手持ち式装置であることが好適である。このような携帯可能な装置は、高レベルの安全性が所望されるＡＴＭ（現金自動預払機）取引にも非常に適している。
【００３８】
尚、本発明は、液晶ディスプレイを参照して説明したが、本発明はそれに限定されるものではなく、選択的な偏光を与える任意の他の透明ディスプレイを使用することが可能である。
【００３９】
尚、この本願において使用する任意の用語は、本発明の範囲を限定すると解釈すべきではない。特に、「有する」という用語は、具体的に記載していない任意の素子を排除することを意味しない。単一の（回路）素子は、複数の（回路）素子及びその等価物によって置き換えられうる。
【００４０】
本発明は上述した実施例に限定されるものではなく、多くの変更及び追加が、請求項に記載される本発明の範囲から逸脱することなく行いうることを当業者は理解するであろう。
【図面の簡単な説明】
【００４１】
【図１】本発明により画像を視覚的に復号化するシステムを示す図である。
【図２】本発明の表示装置及び復号化装置の第１の実施例を示す図である。
【図３】表示装置から復号化装置が取り外された図２の実施例を示す図である。
【図４】本発明の表示装置及び復号化装置の第２の実施例を示す図である。
【図５】表示装置から復号化装置が取り外された図４の実施例を示す図である。
【図６】本発明に使用されるような切替え可能な偏光器を示す図である。
【図１】
2007514180.tif 000003
【図２】
2007514180.tif 000004
【図３】
2007514180.tif 000005
【図４】
2007514180.tif 000006
【図５】
2007514180.tif 000007
【図６】
2007514180.tif 000008
【国際調査報告】
2007514180.tif 000009
2007514180.tif 000010
2007514180.tif 000011